(57)【要約】【課題】本発明は、情報の出力後に該出力情報と該出力状況を収録した収録情報との同期を適切に取る情報同期装置、情報同期方法、情報同期プログラム及び記録媒体に関する。【解決手段】情報同期システム１は、コンピュータ１００が、プレゼンテーション情報を表示部１０３から出力するとともに出力時間情報を表示情報に変換して該プレゼンテーション情報とともに出力し、操作内容をメタ情報として取得して、プレゼンテーション情報をその出力時間情報とメタ情報に関連付けてメモリ１０２に記憶する。コンピュータ１００は、このプレゼンテーション状況を映像装置１０で収録した収録情報を取り込んで、該収録情報に収録されている出力時間表示情報を解析してプレゼンテーション情報の出力時間を取得し、メモリ１０２のプレゼンテーション情報の出力時間と収録情報の出力時間とを同期させる。【選択図】          図１
2010199760.tif 000002
【特許請求の範囲】
【請求項１】
音声情報、表示情報等の複数種類の情報のうち少なくとも表示情報を出力情報として出力する情報出力手段と、
前記情報出力手段による出力情報の出力指示操作等の操作が行われる操作手段と、
前記操作手段による操作内容をメタ情報として取得するメタ情報取得手段と、
時刻を計時する時計手段から前記情報出力手段が前記出力情報を出力する時間情報を出力時間情報として取得する出力時間情報取得手段と、
前記メタ情報取得手段の取得した前記メタ情報及び前記出力情報を前記出力時間情報取得手段の取得する前記出力時間情報に関連付けて出力関連情報として記憶する出力関連情報記憶手段と、
前記出力時間情報取得手段の取得した前記出力時間情報を所定レイアウトに基づいて表示情報に変換して前記出力情報の表示情報に組み込んで前記情報出力手段に出力させる出力時間表示制御手段と、
前記情報出力手段で出力される表示情報を含む前記出力情報を取り込んで記憶手段に収録情報として収録する収録手段と、
前記記憶手段の前記収録情報を取り込む収録情報取り込み手段と、
前記収録情報取り込み手段の取り込んだ前記収録情報に組み込まれている前記出力時間表示情報を解析して前記出力時間を取得する出力時間解析手段と、
前記出力関連情報記憶手段の記憶する前記出力関連情報の前記出力時間情報と前記メタ情報に基づいて前記出力情報の出力時間と前記出力時間解析手段の解析した前記収録情報の前記出力時間とを同期させる情報同期手段と、
を備えていることを特徴とする情報同期装置。
【請求項２】
前記情報同期装置は、前記情報同期手段の同期結果に基づいて前記出力関連情報記憶手段の前記出力情報と前記出力時間解析手段の解析した前記収録情報の前記出力時間を同期させた合成情報を生成する合成情報生成手段を備えていることを特徴とする請求項１記載の情報同期装置。
【請求項３】
前記収録手段は、前記表示情報を含む前記出力情報を撮像する撮像手段であることを特徴とする請求項１または請求項２記載の情報同期装置。
【請求項４】
前記収録手段は、前記表示情報を含む前記出力情報を一時保管する一時記憶手段と、時刻を計時する計時手段から該出力情報を取り込んだ取り込み時間情報を取得して取り込み時間表示情報に変換して該出力情報に該取り込み時間表示情報を付加する取り込み時間付加手段を備え、前記出力時間解析手段は、前記収録情報に付加されている前記取り込み時間表示情報を解析して前記取り込み時間を取得し、前記情報同期手段は、前記取り込み時間及び前記出力関連情報記憶手段の記憶する前記出力時間情報に基づいて前記出力情報の出力時間と前記出力時間解析手段の解析した前記収録情報の前記出力時間とを同期させることを特徴とする請求項１から請求項３のいずれかに記載の情報同期装置。
【請求項５】
音声情報、表示情報等の複数種類の情報のうち少なくとも表示情報を出力情報として出力する情報出力処理ステップと、
前記情報出力処理ステップによる出力情報の出力指示操作等の操作内容をメタ情報として取得するメタ情報取得処理ステップと、
時刻を計時する時計手段から前記情報出力処理ステップにおいて前記出力情報を出力する時間情報を出力時間情報として取得する出力時間情報取得処理ステップと、
前記メタ情報取得処理ステップで取得した前記メタ情報及び前記出力情報を前記出力時間情報取得処理ステップで取得する前記出力時間情報に関連付けて出力関連情報として出力関連情報記憶手段に記憶する出力関連情報記憶処理ステップと、
前記出力時間情報取得処理ステップで取得された前記出力時間情報を所定レイアウトに基づいて表示情報に変換して前記出力情報の表示情報に組み込んで前記情報出力処理ステップで出力させる出力時間表示制御処理ステップと、
前記情報出力処理ステップで出力される表示情報を含む前記出力情報が所定の収録手段で収録されて収録情報として取り込まれている記憶手段の該収録情報を取り込む収録情報取り込み処理ステップと、
前記収録情報取り込み処理ステップで取り込まれた前記収録情報に組み込まれている前記出力時間表示情報を解析して前記出力時間を取得する出力時間解析処理ステップと、
前記出力関連情報記憶手段の記憶する前記出力関連情報の前記出力時間情報と前記メタ情報に基づいて前記出力情報の出力時間と前記出力時間解析処理ステップで解析された前記収録情報の前記出力時間とを同期させる情報同期処理ステップと、
を有していることを特徴とする情報同期方法。
【請求項６】
コンピュータに、
音声情報、表示情報等の複数種類の情報のうち少なくとも表示情報を出力情報として出力する情報出力処理と、
前記情報出力処理による出力情報の出力指示操作等の操作内容をメタ情報として取得するメタ情報取得処理と、
時刻を計時する時計手段から前記情報出力処理において前記出力情報を出力する時間情報を出力時間情報として取得する出力時間情報取得処理と、
前記メタ情報取得処理で取得した前記メタ情報及び前記出力情報を前記出力時間情報取得処理で取得する前記出力時間情報に関連付けて出力関連情報として出力関連情報記憶手段に記憶する出力関連情報記憶処理と、
前記出力時間情報取得処理で取得された前記出力時間情報を所定レイアウトに基づいて表示情報に変換して前記出力情報の表示情報に組み込んで前記情報出力処理で出力させる出力時間表示制御処理と、
前記情報出力処理で出力される表示情報を含む前記出力情報が所定の収録手段で収録されて収録情報として取り込まれている記憶手段の該収録情報を取り込む収録情報取り込み処理と、
前記収録情報取り込み処理で取り込まれた前記収録情報に組み込まれている前記出力時間表示情報を解析して前記出力時間を取得する出力時間解析処理と、
前記出力関連情報記憶手段の記憶する前記出力関連情報の前記出力時間情報と前記メタ情報に基づいて前記出力情報の出力時間と前記出力時間解析処理で解析された前記収録情報の前記出力時間とを同期させる情報同期処理と、
を実行させることを特徴とする情報同期プログラム。
【請求項７】
請求項６記載の情報同期プログラムを記録したことを特徴とするコンピュータが読み取り可能な記録媒体。
【発明の詳細な説明】
【技術分野】
【０００１】
本発明は、情報同期装置、情報同期方法、情報同期プログラム及び記録媒体に関し、詳細には、映像、音声、画像、文字列等の情報を表示等の出力処理する装置と映像、音声、画像等の情報を収録する装置とが非接続の状態で出力及び収録された情報を同期させる情報同期装置、情報同期方法、情報同期プログラム及び記録媒体に関する。
【背景技術】
【０００２】
映像、音声、画像、文字列等の情報のうち少なくとも１つの情報を出力する情報出力装置（例えば、コンピュータと該コンピュータの出力情報を表示出力するプロジェクター）で出力された情報と、映像、音声、画像、文字列等のうち少なくとも１つの情報を収録する収録装置で収録された収録情報とを同期させた同期情報を情報同期装置で生成する場合、該情報出力装置と収録装置及び情報同期装置をケーブル等で物理的に接続し、両情報の同期を取って同期情報を生成している。
【０００３】
例えば、プロジェクター等の表示装置を利用した講演等のプレゼンテーションにおいては、話者（プレゼンター）が操作に応じて予め作成されて格納されているプレゼンテーションファイルをプレゼンテーション実施装置（パーソナルコンピュータ等）で実行して、映像、音声等のマルチメディア情報からなるプレゼンテーション情報をプロジェクター等で表示させ、この話者及び出力装置から出力される映像、音声等のプレゼンテーション情報をデジタルカメラ等の収録装置で録画・記録する。そして、プレゼンテーション実施装置及び収録装置に、コンテンツ生成装置を接続し、コンテンツ生成装置で、プレゼンテーション実施装置のプレゼンテーション情報と収録装置に記録された収録情報を同期させて合成して記録ファイル（同期情報）を生成する（特許文献１参照）。
【発明の概要】
【発明が解決しようとする課題】
【０００４】
しかしながら、上記従来技術にあっては、プレゼンテーション実施装置、収録装置及びコンテンツ生成装置を接続し、コンテンツ生成装置で、プレゼンテーション実施装置のプレゼンテーション情報と収録装置に収録された収録情報を同期させて合成して記録ファイル（コンテンツ）を生成しているため、これらの複数の装置をプレゼンテーション会場等で接続してセットする必要があり、同期情報を生成するための作業性が悪いという問題があった。
【０００５】
そこで、本発明は、表示情報を含む出力情報の出力後に、該出力情報を記録した出力情報と該出力情報を収録手段で収録した収録情報との同期を適切に取ることのできる情報同期装置、情報同期方法、情報同期プログラム及び記録媒体を提供することを目的としている。
【課題を解決するための手段】
【０００６】
本発明は、上記目的を達成するために、出力指示操作等の操作に応じて、音声情報、表示情報等のような複数種類の情報のうち少なくとも表示情報を出力情報として情報出力手段から出力し、該操作内容をメタ情報として取得するとともに、該情報出力手段が該出力情報を出力する時間情報を出力時間情報として取得して、該メタ情報及び該出力情報を該出力時間情報に関連付けて出力関連情報として出力関連情報記憶手段に記憶する。前記出力時間情報を所定レイアウトに基づいて表示情報に変換して前記出力情報の表示情報に組み込んで前記情報出力手段に出力させ、この情報出力手段で出力される表示情報を含む前記出力情報を所定の収録手段で取り込んで記憶手段に収録情報として収録して、この記憶手段の収録情報を取り込んで、該収録情報に組み込まれている前記出力時間表示情報を出力時間解析手段で解析して前記出力時間を取得する。そして、情報同期手段が、前記出力関連情報記憶手段の記憶する前記出力関連情報の前記出力時間情報と前記メタ情報に基づいて前記出力情報の出力時間と前記出力時間解析手段の取得した前記出力時間とを同期させることを特徴としている。
【０００７】
また、本発明は、前記情報同期手段の同期結果に基づいて前記出力関連情報記憶手段の前記出力情報と前記収録手段が収録した前記収録情報を同期させた合成情報を生成することを特徴としてもよい。
【０００８】
さらに、本発明は、前記収録手段が、前記表示情報を含む前記出力情報を一時記憶手段に一時保管して、計時手段から該出力情報を取り込んだ取り込み時間情報を取得して取り込み時間表示情報に変換して該出力情報に該取り込み時間表示情報を付加し、この出力情報を収録した収録情報に付加されている前記取り込み時間表示情報を解析して前記取り込み時間を取得し、前記取り込み時間及び前記出力関連情報記憶手段の記憶する前記出力時間情報に基づいて前記出力情報の出力時間と前記収録手段が収録した前記収録情報の前記出力時間とを同期させることを特徴としてもよい。
【発明の効果】
【０００９】
本発明によれば、情報出力手段から表示情報を含む出力情報を出力するとともに収録手段によって該出力情報を取り込んで記憶手段に記憶する際に、情報出力手段と収録手段を物理的に接続することなく、該情報出力手段による出力情報の出力後に、該出力情報を記録した出力情報と収録手段の収録した収録情報の同期を適切に取ることができる。
【図面の簡単な説明】
【００１０】
【図１】本発明の一実施例を適用した情報同期システムのシステム構成及び処理流れを示す図。
【図２】コンピュータの要部ブロック構成図。
【図３】映像装置の記録ファイル記録処理機構部のブロック構成図。
【図４】プレゼンテーション実施時のコンピュータの機能ブロック構成図。
【図５】内部時間表示時のコンピュータの機能ブロック構成図。
【図６】情報同期・コンテンツ生成時のコンピュータの機能ブロック構成図。
【図７】映像装置による記録ファイル記録処理を示すフローチャート。
【図８】コンピュータによるプレゼンテーション内容収録処理を示すフローチャート。
【図９】コンピュータによる内部時間表示処理を示すフローチャート。
【図１０】コンピュータによる情報同期・コンテンツ生成処理を示すフローチャート。
【発明を実施するための形態】
【００１１】
以下、本発明の好適な実施例を添付図面に基づいて詳細に説明する。なお、以下に述べる実施例は、本発明の好適な実施例であるので、技術的に好ましい種々の限定が付されているが、本発明の範囲は、以下の説明によって不当に限定されるものではなく、また、本実施の形態で説明される構成の全てが本発明の必須の構成要件ではない。
【実施例１】
【００１２】
図１〜図１０は、本発明の情報同期装置、情報同期方法、情報同期プログラム及び記録媒体の一実施例を示す図であり、図１は、本発明の情報同期装置、情報同期方法、情報同期プログラム及び記録媒体の一実施例を適用した情報同期システム（情報同期装置）１のシステム構成及び処理流れを示す図である。
【００１３】
図１において、情報同期システム１は、映像装置１０及びコンピュータ１００を備えており、コンピュータ１００は、プレゼンテーション実施装置及び情報同期装置として機能する。
【００１４】
コンピュータ１００は、通常のハードウェア構成のパーソナルコンピュータが用いられ、ＣＰＵ（Central Processing Unit ）１０１、メモリ１０２、表示部１０３、外部記憶部１０４、Ｉ／Ｆ（インターフェイス）１０５及び入力部１０６等を備えていて、各部は、バス１０７により接続されている。
【００１５】
メモリ（出力関連情報記憶手段）１０２は、ＲＯＭ（Read Only Memory）、ＲＡＭ（Random Access Memory）、ハードディスク（ＨＤＤ）等で構成され、ＯＳ（Operating System）、各種アプリケーションソフトウェア及び必要な情報を格納している。
【００１６】
ＣＰＵ（メタ情報取得手段、出力時間情報取得手段、出力時間表示制御手段、出力時間解析手段、情報同期手段）１０１は、メモリ１０２内のプログラムに基づいて、各種動作処理を行うとともに、プレゼンテーションプログラムに基づいてプレゼンテーション実施装置としての機能を実行するとともに、情報同期プログラムに基づいて映像装置１０の記録したマルチメディア情報とコンピュータ１００の生成するプレゼンテーション情報の同期を取って合成した記録情報（マルチメディアコンテンツ）を生成する情報同期方法を実行する。
【００１７】
すなわち、コンピュータ１００は、ＲＯＭ、ＥＥＰＲＯＭ（Electrically Erasable and Programmable Read Only Memory ）、ＥＰＲＯＭ、フラッシュメモリ、フレキシブルディスク、ＣＤ−ＲＯＭ（Compact Disc Read Only Memory ）、ＣＤ−ＲＷ（Compact Disc Rewritable ）、ＤＶＤ（Digital Video Disk）、ＳＤ（Secure Digital）カード、ＭＯ（Magneto-Optical Disc）等のコンピュータ１００が読み取り可能な記録媒体に記録されている本発明の情報同期方法を実行する情報同期プログラムを読み込んでメモリ１０２に導入することで、後述する情報同期方法を実行する情報同期装置及びプレゼンテーション実施装置として構築されている。この情報同期プログラムは、アセンブラ、Ｃ、Ｃ＋＋、Ｃ＃、Ｊａｖａ（登録商標）等のレガシープログラミング言語やオブジェクト指向ブログラミング言語等で記述されたコンピュータ実行可能なプログラムであり、上記記録媒体に格納して頒布することができる。
【００１８】
表示部（情報出力手段）１０３は、ＣＰＵ１０１の制御下で各種映像（情報）の表示及び音声の出力を行い、特に、プレゼンテーションで使用される映像の表示、音声の出力を行う。
【００１９】
外部記憶部１０４は、ハードディスク、ＵＳＢメモリ等のメモリであり、プレゼンテーションに使用されるプレゼンテーション情報等が記憶される。
【００２０】
Ｉ／Ｆ１０５は、着脱可能なメモリ、入力端末、出力端末等の各種デバイスが接続される。
【００２１】
入力部（操作手段）１０６は、キーボード、マウス等の入力デバイスであり、コンピュータ１００に各種動作指示を行わせる命令等が入力される。
【００２２】
映像装置（収録手段）１０は、映像・音声等のマルチメディア情報を収録する機能を有する装置であり、例えば、ＤＶ（Digital Video）カメラ等が用いられる。映像装置１０は、プレゼンテーション実施時に、話者（プレゼンター）とプレゼンテーション実施装置としてのコンピュータ１００が表示するプレゼンテーション内容のプレゼンテーション映像や音声等のプレゼンテーションマルチメディア情報を収録するとともに、内部時計の計時時刻を同時に収録する。
【００２３】
すなわち、映像装置１０は、図３に示すように、入力部１１、記録ファイル記録処理部１２及び記憶部１３を備えているとともに、図示しないが、映像装置１０としての基本動作を実行する各部（例えば、映像処理部、音声処理部、記憶処理部等）を備え、特に、現在時間を計時する時計機構部（時計手段）を備えている。入力部１１は、映像装置１０の収録対象の映像、音声等を取り込む部分であり、レンズ、マイク等である。
【００２４】
記録ファイル記録処理部１２は、イメージ化制御部２１、内部時間情報取得部２２、一次記憶部（一時記憶手段）２３、記憶制御部２４及び記録ファイル情報取得部２５等を備えており、イメージ化制御部２１に入力部１１が取り込んだ収録情報が入力される。イメージ化制御部（取り込み時間付加手段）２１は、入力部１１から入力される収録情報を一次記憶部２３に保存し、内部時間情報取得部２２は、内部の時計機構から現在時間（内部時間）を取得してイメージ化制御部２１に渡す。イメージ化制御部２１は、内部時間情報取得部２２の取得した内部時間を映像化、例えば、数字化等して、一次記憶部２３に保存した収録情報に付加し、映像化した内部時間を付加した収録情報を記憶制御部２４に渡す。
【００２５】
記憶ファイル情報取得部２５は、イメージ化制御部２１及び入力部１１から入力されて図示しない情報処理部で処理された収録対象の映像、音声等の情報を取得し、記憶制御部２４は、記録ファイル情報取得部２５の取得した情報とイメージ化制御部２１から渡される収録情報を記憶部（記憶手段）１３に記憶する。この記憶部１３は、ハードディスク、着脱可能なメモリ（ＵＳＢメモリ、メモリカード等）あるいはネットワークを介して接続されている外部記憶デバイスである。
【００２６】
すなわち、映像装置１０は、図１に示すように、プレゼンテーション時、収録対象物である話者（プレゼンター）等の収録とプレゼンテーション実施装置としてのコンピュータ１００が表示するプレゼンテーション内容（コンピュータ画像）の収録を行って、上記映像装置１０内の内部時間を付加した状態で記憶部１３に記録して、その後、情報同期装置１としてのコンピュータ１００に収録情報（映像記録情報）を出力する（ステップＳ１０１〜Ｓ１０５）。
【００２７】
そして、コンピュータ１００は、図１に示すように、話者によりプレゼンテーション（図１では、プレゼンと記載されている。）が開始指示されると、プレゼンテーションの表示情報等の出力内容を再現可能なレベルで記録し、プレゼンテーションが終了すると、プレゼンテーションの出力内容（出力情報）の記録を終了するプレゼンテーション内容（プレゼンテーション情報）の記録（ステップＳ２０１、Ｓ２０２）、コンピュータ内の内部時間の映像化した内部時間情報表示出力（ステップＳ２０３、Ｓ２０４）、プレゼンテーション終了後の映像装置１０からの収録情報（映像記録情報）の入手（ステップＳ２０５）、収録情報とプレゼンテーション情報の同期（ステップＳ２０６）及び同期させた収録情報とプレゼンテーション情報を合成したコンテンツの作成を行う（ステップＳ２０７）。
【００２８】
コンピュータ１００は、プレゼンテーション実施時には、プレゼンテーションプログラムによって、図４に示すような機能構成部を構築して、プレゼンテーションを実施する。すなわち、コンピュータ１００は、プレゼンテーション実施時には、メタ情報制御機構部１１０が構築され、メタ情報制御部機構部１１０は、メタ情報記憶部１１１、メタ情報取得部１１２、表示制御部１１３及び表示ファイル情報取得部１１４等を備えている。
【００２９】
メタ情報取得部（メタ情報取得手段）１１２は、話者が入力部（操作手段）１０６で操作する操作状況をメタ情報として取得し、メタ情報記憶部１１１は、メタ情報取得部１１２の取得したメタ情報をタイムカウンタに併せて記録する。
【００３０】
表示ファイル情報取得部１１４は、プレゼンテーション実行用ファイルとして予めコンピュータ１００に格納されている実行ファイル情報（プレゼンテーション情報）を表示情報に変換したプレゼンテーション情報を取得し、表示制御部１１３は、表示ファイル情報取得部１１４の取得したプレゼンテーション情報を表示部１０３に表示させ、また、該プレゼンテーション情報とメタ情報記憶部１１１の記憶したメタ情報をタイムカウンタに併せてメモリ１０２に出力関連情報として記録する。
【００３１】
また、コンピュータ１００は、プレゼンテーション実行時、図５に示すように、内部時間表示機構部１２０を構築して、コンピュータ１００内の内部時間を表示部１０３に表示する。すなわち、コンピュータ１００は、プレゼンテーション実行時に、内部時間表示機構部１２０が構築され、内部時間表示機構部１２０は、再生制御部１２１、内部時間情報取得部１２２、レイアウト制御部１２３、レイアウト情報取得部１２４、時間情報置換ルール情報取得部１２５、表示制御部１２６及び表示ファイル情報取得部１２７を備えている。
【００３２】
内部時間情報取得部１２２は、コンピュータ１００が備えている内部時計（時計手段）の計時時間（内部時間）の情報を取得し、再生制御部１２１は、入力部１０６での操作またはプレゼンテーション終了後自動的に、内部時間情報取得部１２２の取得した内部時間情報を取得してレイアウト制御部１２３に渡す。
【００３３】
レイアウト情報取得部１２４は、予め設定されている内部時間情報を映像化して表示するためのレイアウト情報を取得し、時間情報置換ルール情報取得部１２５は、内部時間情報を動的な情報に置換する置換ルール情報を取得する。レイアウト制御部（出力時間表示制御手段）１２３は、再生制御部１２１から渡される内部時間情報を、レイアウト情報取得部１２４の取得したレイアウト情報と時間情報置換ルール情報取得部１２５の取得した置換ルールに基づいて該レイアウトに置換して、表示制御部１２６に渡す。
【００３４】
表示ファイル情報取得部１２７は、レイアウト化された内部時間情報を表示するための表示情報を取得し、表示制御部１２６は、表示ファイル情報取得部１２７の取得した表示情報に基づいて、レイアウト制御部１２３から渡された内部時間情報のレイアウト情報を表示情報に変換して表示部１０３に表示させる。このとき、表示制御部１２６は、コンピュータ１００の表示部１０３で表示できる色調やサイズに合わせてレイアウトを変化する。
【００３５】
そして、コンピュータ１００は、情報同期を行ってコンテンツを生成するときには、図６に示すように、情報同期・コンテンツ生成機構部１３０を構築して、映像装置１０で記録された収録情報（映像記録情報）とプレゼンテーション情報とを同期させたコンテンツを生成する。
【００３６】
すなわち、コンピュータ１００は、情報同期・コンテンツ生成を行う場合、情報同期・コンテンツ生成機構部１３０が構築され、情報同期・コンテンツ生成機構部１３０は、記憶制御部１３１、記録ファイル情報取得部１３２、画像認識部１３３、レイアウト情報取得部１３４、時間情報取得部１３５、時間情報置換ルール情報取得部１３６、同期制御部１３７、同期情報取得部１３８、コンテンツ制御部１３９、表示ファイル情報取得部１４０及びメタ情報取得部１４１を備えている。
【００３７】
記録ファイル情報取得部（収録情報取り込み手段）１３２は、Ｉ／Ｆ１０５に接続された着脱可能なメモリ（ＵＳＢメモリ、メモリカード等）や映像装置１０のハードディスク等の記憶手段から、映像装置１０で収録されて記録されている収録情報を取得し、記憶制御部１３１は、入力部１０６からの操作に基づいて記録ファイル情報取得部１３２に該収録情報を取得させて、内部のメモリ１０２または外部記憶部１０４に記憶し、また、画像認識部１３３に渡す。
【００３８】
レイアウト情報取得部１３４は、図５の内部時間表示機構部１２０で構築されるレイアウト情報取得部１２４と同様であり、予め設定されている内部時間情報を映像化して表示するためのレイアウト情報を取得する。画像認識部１３３は、記憶制御部１３１から送られてきた収録情報を、１フレームずつの画像情報として分析し、レイアウト情報取得部１３４の取得したレイアウト情報に基づいて、該レイアウト情報に類似している画像情報を抽出する。画像認識部１３３は、この内部時間のレイアウト情報に類似している画像を抽出する際に、収録情報には、上述のように、映像装置１０の内部時計情報の映像化情報も記録されているため、該映像装置１０の内部時間情報に基づいて、該内部時計の映像化情報が記録された映像装置１０の内部時間も同時に算出して、時間情報取得部１３５に出力する。
【００３９】
時間情報置換ルール情報取得部１３６は、図５の内部時間表示機構部１２０の時間情報置換ルール情報取得部１２５と同様であり、内部時間情報を動的な情報に置換する置換ルール情報を取得する。時間情報取得部１３５は、時間情報置換ルール情報取得部１３６の取得した置換ルール情報に基づいて、画像認識部１３３の認識した内部時間の画像情報（内部時間情報）を取得して、同期制御部１３７に渡す。
【００４０】
同期情報取得部１３８は、映像装置１０の記録した収録情報とコンピュータ１００の生成したプレゼンテーション情報との同期を取るための同期情報として、時間情報取得部１３５から渡された収録情報に記録されているコンピュータ１００の内部時間情報とメタ情報を取得したときの内部時間とを取得し、同期制御部１３７は、収録情報に記録されたコンピュータ１００の内部時間情報とメタ情報を取得した時間の絶対時間を同期させる。すなわち、同期制御部１３７は、コンピュータ１００の内部時間と映像装置１０の内部時間の差を算出して同期時間情報を求めてコンテンツ制作部１３９に渡す。
【００４１】
表示ファイル情報取得部１４０及びメタ情報取得部１４１は、図４のメタ情報制御機構部１１０の表示ファイル情報取得部１１４及びメタ情報取得部１１２と同様であり、表示ファイル情報取得部１４０は、プレゼンテーション時にコンピュータ１００で生成したプレゼンテーション情報を取得して記録しておいたプレゼンテーション情報を取得し、また、メタ情報取得部１４１は、話者が入力部１０６で操作する操作状況をメタ情報として取得して記録しておいたメタ情報を取得する。
【００４２】
コンテンツ制御部１３９は、記憶制御部１３１で記憶させた収録情報と、メタ情報取得部１４１を介して取得されたメタ情報と表示ファイル情報取得部１４０を介して取得されたプレゼンテーション情報とを同期制御部１３７から送られてきた映像装置１０の内部時間とコンピュータ１００の内部時間との時間差を調整することで同期させて、同期後に収録情報とプレゼンテーション情報（表示ファイル情報）とを組み合わせたマルチメディアコンテンツを生成し、マルチメディアコンテンツとして、同一表示画面内に収録情報とプレゼンで表示させた内容を表示部１０３に表示、または、入力部１０６の操作に応じて表示する。
【００４３】
次に、本実施例の作用を説明する。本実施例の情報同期システム１は、プレゼンテーション時に、プレゼンテーション実施装置としてのコンピュータ１００とプレゼンテーションの状況を撮影する映像装置１０とを接続することなく、プレゼンテーションの終了後に、映像装置１０の収録した収録情報を、情報同期装置としてのコンピュータ１００に取り込んで、収録情報とコンピュータ１００でプレゼンテーション時に出力したプレゼンテーション情報との同期を取ってコンテンツを生成する。
【００４４】
すなわち、プレゼンテーション時、図１に示したように、映像装置１０は、プレゼンテーションの状況を撮影して収録対象物の収録を行うとともに（ステップＳ１０１、Ｓ１０２）、コンピュータ１００の出力するマルチメディア情報を収録する（ステップＳ１０３、Ｓ１０４）。この映像装置１０は、収録時に、図７に示すように、操作部で収録開始の指示操作が行われると、図３に示したイメージ化制御部２１が、入力部１１から入力される収録情報を一次記憶部２３に保存し、内部時間情報取得部２２の取得した内部時間を映像化して、一次記憶部２３に保存した収録情報に付加して、映像化した内部時間を付加した収録情報を記憶制御部２４に渡す（ステップＳ３０１）。
【００４５】
記憶制御部２４は、記録ファイル情報取得部２５の取得した情報とイメージ化制御部２１から渡される収録情報を記憶部１３に記憶する（ステップＳ３０２）。
【００４６】
一方、コンピュータ１００は、プレゼンテーション時、話者がコンピュータ１００に対して行う操作をメタ情報を取得して、コンピュータ１００がプレゼンテーションにおいて表示等の出力するプレゼンテーション情報とともに記録する。すなわち、コンピュータ１００は、プレゼンテーション時、プレゼンテーションが開始されると、タイムカウンタを動作させ、話者がコンピュータ１００のキーボード、マウス等の入力部１０６からプレゼンテーション情報の表示切り替え等の各種操作を行うと、メタ情報取得部１１２が、該操作をメタ情報として取得して、表示制御部１１３に渡す（ステップＳ４０１）。
【００４７】
表示制御部１１３は、表示ファイル情報取得部１１４の取得した実行ファイル情報を表示部１０３に表示させ、また、該実行ファイル情報とメタ情報記憶部１１１の記憶したメタ情報をタイムカウンタに併せて記録する（ステップＳ４０２）。
【００４８】
そして、コンピュータ１００は、プレゼンテーション時、図９に示すように、プレゼンテーション情報に併せて内部時間を映像化して表示して、この映像化されたコンピュータ１００の内部時間を、映像装置１０で収録対象物として収録する。すなわち、コンピュータ１００は、プレゼンテーション時、再生制御部１２１が、入力部１０６での操作またはプレゼンテーション終了後自動的に、内部時間情報取得部１２２の取得したコンピュータ１００の内部時間情報を取得してレイアウト制御部１２３に渡す（ステップＳ５０１）。
【００４９】
レイアウト制御部１２４は、再生制御部１２１から渡される内部時間情報を、レイアウト情報取得部１２４の取得したレイアウト情報と時間情報置換ルール情報取得部１２５の取得した置換ルールに基づいて該レイアウトに置換して、表示制御部１２６に渡す（ステップＳ５０２）。
【００５０】
表示制御部１２６は、表示ファイル情報取得部１２７の取得した表示情報に基づいて、レイアウト制御部１２３から渡された内部時間情報のレイアウト情報を表示情報に変換して表示部１０３に表示させる（ステップＳ５０３）。
【００５１】
そして、コンピュータ１００は、プレゼンテーションが終了して、映像装置１００の収録した収録情報を記憶するメモリがＩ／Ｆ１０５に接続されたり、該収録情報をハードディスク等に記憶している映像装置１００が接続されると、記憶制御部１３１が、入力部１０６からの操作に基づいて記録ファイル情報取得部１３２に該収録情報を取得させて、内部のメモリ１０２または外部記憶部１０４に記憶し、また、画像認識部１３３に渡す（ステップＳ６０１）。
【００５２】
画像認識部１３３は、記憶制御部１３１から送られてきた収録情報を、１フレームずつの画像情報として分析し、レイアウト情報取得部１３４の取得したレイアウト情報に基づいて、該レイアウト情報に類似している画像情報（画像部位）を抽出する（ステップＳ６０２）。画像認識部１３３は、この内部時間のレイアウト情報に類似している画像を抽出する際に、収録情報には、上述のように、映像装置１０の内部時計情報の映像も記録されているため、該映像装置１０の内部時間情報に基づいて、該画像情報が記録された映像装置１０の内部時間も同時に算出して、時間情報取得部１３５に出力する。
【００５３】
時間情報取得部１３５は、時間情報置換ルール情報取得部１３６の取得した置換ルール情報に基づいて、画像認識部１３３の認識した画像部位から内部時間の画像情報（内部時間情報）を取得して、同期制御部１３７に渡す（ステップＳ６０３）。
【００５４】
同期制御部（合成情報生成手段）１３７は、収録情報に記録されたコンピュータ１００の内部時間情報とメタ情報を取得した時間の絶対時間を同期させ（ステップＳ６０４）、コンテンツ制御部１３９は、記憶制御部１３１で記憶された収録情報と、メタ情報取得部１４１を介して取得されたメタ情報と表示ファイル情報取得部１４０を介して取得されたプレゼンテーション情報とを同期制御部１３７から送られてきた映像装置１０の内部時間とコンピュータ１００の内部時間との時間差を調整することで同期させて、同期後に収録情報とプレゼンテーション情報とを組み合わせたコンテンツ（合成情報）を生成し、該コンテンツを、収録情報とプレゼンで表示させた内容とともに表示部１０３の同一表示画面内に表示、または、入力部１０６の操作に応じて表示する（ステップＳ６０５）。
【００５５】
このように、本実施例の情報同期システム１は、コンピュータ１００が、入力部１１での出力指示操作等の操作に応じて、音声情報、表示情報等の複数種類のプレゼンテーション情報を出力情報として表示部１０３から出力し、該操作内容をメタ情報として取得するとともに、該出力情報を出力する時間情報を出力時間情報として取得して、該メタ情報及び該出力情報を該出力時間情報に関連付けて出力関連情報として記憶部（出力関連情報記憶手段）１０２に記憶する。コンピュータ１００は、出力時間情報を所定レイアウトに基づいて表示情報に変換して出力情報の表示情報に組み込んで表示部１０３に出力させ、この出力される表示情報を含む出力情報を映像装置１０で取り込んで記憶部（記憶手段）１３に収録情報として収録して、この記憶部１３の収録情報をコンピュータ１００で取り込んで、該収録情報に組み込まれている出力時間表示情報を解析して出力時間を取得する。そして、コンピュータ１００は、記憶部１０２の記憶する前記出力関連情報の前記出力時間情報と前記メタ情報に基づいて前記出力情報の出力時間と解析して取得した前記出力時間とを同期させている。
【００５６】
したがって、コンピュータ１００の表示部１０３から表示情報を含む出力情報（プレゼンテーション情報）を出力するとともに、映像装置１０によって該出力情報を取り込んで記憶部１３に記憶する際に、コンピュータ１００と映像装置１０を物理的に接続することなく、コンピュータ１００による出力情報の出力後に、該出力情報を記録した出力情報と映像装置１０の収録した収録情報の同期を適切に取ることができ、作業性を向上させることができる。
【００５７】
また、本実施例の情報同期システム１は、前記同期結果に基づいて記憶部１０２の前記出力情報と映像装置１０が収録して記憶部１３に記憶した収録情報を同期させたコンテンツ（合成情報）を生成している。
【００５８】
したがって、プレゼンテーションで出力したプレゼンテーション情報と該プレゼンテーションを映像装置１０で撮影した映像である収録情報を同期させたプレゼンテーションコンテンツを作成することができ、作業性を向上させつつコンテンツを容易に作成することができる。
【００５９】
さらに、本実施例の情報同期システム１は、収録手段として、映像装置１０を用いている。
【００６０】
したがって、安価かつ容易に、プレゼンテーション情報等の出力情報と映像装置１０で収録した収録情報を同期させることでき、また、コンテンツを作成することができる。
【００６１】
また、本実施例の情報同期システム１は、映像装置１０は、収録した収録情報を一次記憶部２３に保管し、内部時間情報を取り込んで、該内部時間情報表示情報に変換して収録情報に付加し、コンピュータ１００が、収録情報に付加されている内部時間情報を解析して映像装置１０による収録時間を取得し、出力情報を記録した出力情報と映像装置１０の収録した収録情報の同期を取って、コンテンツを生成している。
【００６２】
したがって、より一層正確に出力情報を記録した出力情報と映像装置１０の収録した収録情報の同期を取ることができ、より一層正確に同期させたコンテンツを生成することができる。
【００６３】
以上、本発明者によってなされた発明を好適な実施例に基づき具体的に説明したが、本発明は上記実施例で説明したものに限定されるものではなく、その要旨を逸脱しない範囲で種々変更可能であることはいうまでもない。
【産業上の利用可能性】
【００６４】
本発明は、プレゼンテーションの撮影映像を撮影する映像装置とプレゼンテーション情報を出力するプレゼンテーション実施装置を接続することなく、映像装置の収録した収録情報とプレゼンテーション情報を同期させてコンテンツを生成する等のように、物理的接続されていない装置の情報を同期させる情報同期装置、情報同期方法、情報同期プログラム及び記録媒体に利用することができる。
【符号の説明】
【００６５】
１  情報同期システム
１０  映像装置
１１  入力部
１２  記録ファイル記録処理部
１３  記憶部
２１  イメージ化制御部
２２  内部時間情報取得部
２３  一次記憶部
２４  記憶制御部
２５  記録ファイル情報取得部
１００  コンピュータ
１０１  ＣＰＵ
１０２  メモリ
１０３  表示部
１０４  外部記憶部
１０５  Ｉ／Ｆ
１０６  入力部
１０７  バス
１１０  メタ情報制御機構部
１１１  メタ情報記憶部
１１２  メタ情報取得部
１１３  表示制御部
１１４  表示ファイル情報取得部
１２０  内部時間表示機構部
１２１  再生制御部
１２２  内部時間情報取得部
１２３  レイアウト制御部
１２４  レイアウト情報取得部
１２５  時間情報置換ルール情報取得部
１２６  表示制御部
１２７  表示ファイル情報取得部
１３０  情報同期・コンテンツ生成機構部
１３１  記憶制御部
１３２  記録ファイル情報取得部
１３３  画像認識部
１３４  レイアウト情報取得部
１３５  時間情報取得部
１３６  時間情報置換ルール情報取得部
１３７  同期制御部
１３８  同期情報取得部
１３９  コンテンツ制御部
１４０  表示ファイル情報取得部
１４１  メタ情報取得部
【先行技術文献】
【特許文献】
【００６６】
【特許文献１】特開２００５−２５２５７４号公報
【図１】
2010199760.tif 000003
【図２】
2010199760.tif 000004
【図３】
2010199760.tif 000005
【図４】
2010199760.tif 000006
【図５】
2010199760.tif 000007
【図６】
2010199760.tif 000008
【図７】
2010199760.tif 000009
【図８】
2010199760.tif 000010
【図９】
2010199760.tif 000011
【図１０】
2010199760.tif 000012